(57)【特許請求の範囲】
【請求項１】
二輪車本体に取り付けられた子供乗せ装置であって、
子供が着席可能な座部と、前記座部の後方側に立設された背凭れ部と、前記座部の両サイドに立設された側面部と、を備えた子供乗せ装置本体と、
前記側面部に掛け渡された握り部材と、
前記握り部材の両端部に設けられ、前記握り部材を前記側面部に対して前後方向に回転させる回転軸部と、
前記側面部の内側面側の少なくとも一方の前記回転軸部に設けられ、前記握り部材を所定の回転角度でロックする角度変更手段と、
前記握り部材に設けられ、前記側面部に固定された前記回転軸部に回転可能に支持される円筒部と、
前記握り部材に設けられ、前記円筒部の内周面に形成された被係合部と、
前記角度変更手段に設けられ、前記回転軸部に対してスライドし、回転が不可とされた角度変更ボタンと、
前記角度変更ボタンの周面に設けられ、前記握り部材のロック位置で前記被係合部と係合する係合部と、
前記角度変更手段に設けられ、前記角度変更ボタンを前記係合部が前記被係合部と係合する方向へ付勢する付勢部材と、
を有することを特徴とする子供乗せ装置。
【請求項２】
前記被係合部は、少なくとも前記握り部材が前方側へ傾倒した位置と、前記握り部材が後方側へ傾倒した位置と、前記握り部材が前後方向の途中で起立した位置に設けられていることを特徴とする請求項１に記載の子供乗せ装置。
【請求項３】
前記係合部が、前記角度変更ボタンの周面に突設されたピンであり、
前記被係合部が、前記円筒部の内周面に形成された複数の溝部であり、
前記円筒部の前記溝部よりも軸方向外側の内周面に、前記握り部材のロック解除時に前記ピンが周方向に摺動される摺動部を有することを特徴とする請求項１又は請求項２に記載の子供乗せ装置。
【請求項４】
二輪車本体に請求項１から請求項３までのいずれか１項に記載の子供乗せ装置が取り付けられていることを特徴とする二輪車。
【発明の詳細な説明】
【技術分野】
【０００１】
本発明は、子供が着席可能な子供乗せ装置、及びこの子供乗せ装置が取り付けられた二輪車に関するものである。
【背景技術】
【０００２】
従来から、サドルの後方側に子供が着座可能な幼児用座席を備えた二輪車が知られている。
【０００３】
この幼児用座席には、座席部の前方側に子供が握ることができるハンドル部が設けられている（特許文献１を参照）。このハンドル部は矩形状のパイプで形成されており、ハンドル部の下部が、座席部の底部の前方に設けられたハンドル保持部に前後方向に回動可能に設けられている。ハンドル保持部は、ハンドル部の下部に設けられた支持片が挿入されるポケット部を備えており、支持片がポケット部に挿入されたときにハンドル部が起立し、支持片がポケット部から引き出されたときにハンドル部が前側に倒れる。ハンドル部が前側に倒れることにより、座席部の前方が広がり、子供の乗降を容易に行うことができる。
【特許文献１】特許第３６２６９７８号公報
【発明の開示】
【発明が解決しようとする課題】
【０００４】
しかし、上記のような幼児用座席では、ハンドル部の起立及び前倒を座席部の底部の前方側で支持片の挿入及び引き出し等により行うため、ハンドル部を上下方向に挿入及び引き出すときにハンドル部が重く、操作しにくい。
【０００５】
また、矩形状のハンドル部の全体を前側に倒すため、幼児用座席の前方側にハンドル部を倒すためのスペースが必要となる。
【０００６】
本発明は、上記問題点に鑑みてなされたものであり、幼児用の握り部材の角度を変更するときの操作性が良好で省スペース化が可能な子供乗せ装置及び二輪車を提供することを目的とする。
【課題を解決するための手段】
【０００７】
上記課題を解決するために、請求項１に記載の発明は、二輪車本体に取り付けられた子供乗せ装置であって、子供が着席可能な座部と、前記座部の後方側に立設された背凭れ部と、前記座部の両サイドに立設された側面部と、を備えた子供乗せ装置本体と、前記側面部に掛け渡された握り部材と、前記握り部材の両端部に設けられ、前記握り部材を前記側面部に対して前後方向に回転させる回転軸部と、前記側面部の内側面側の少なくとも一方の前記回転軸部に設けられ、前記握り部材を所定の回転角度でロックする角度変更手段と、前記握り部材に設けられ、前記側面部に固定された前記回転軸部に回転可能に支持される円筒部と、前記握り部材に設けられ、前記円筒部の内周面に形成された被係合部と、前記角度変更手段に設けられ、前記回転軸部に対してスライドし、回転が不可とされた角度変更ボタンと、前記角度変更ボタンの周面に設けられ、前記握り部材のロック位置で前記被係合部と係合する係合部と、前記角度変更手段に設けられ、前記角度変更ボタンを前記係合部が前記被係合部と係合する方向へ付勢する付勢部材と、を有することを特徴としている。
【０００８】
請求項１に記載の発明では、子供乗せ装置本体に座部と、座部の後方側の背凭れ部と、座部の両サイドの側面部と、を備えており、子供が座部に着席し、背凭れ部に寄りかかることができる。座部の両サイドの側面部には握り部材が掛け渡されており、握り部材の両端部に設けられた回転軸部により、握り部材が側面部に対して前後方向に回転する。側面部の内側面側の少なくとも一方の回転軸部には、角度変更手段が設けられており、握り部材が所定の回転角度でロックされる。これにより、子供の身長、体格に合わせて握り部材の回転角度を変更することができる。また、側面部の内側面側の少なくとも一方の回転軸部に角度変更手段が設けられているので、角度変更手段を操作しやすく、握り部材の回転角度を変更するときの操作性が良好となる。また、握り部材の両端部に設けられた回転軸部により握り部材が前後方向に回転するので、握り部材の回転軌道が小さく、省スペース化が可能である。
【００１０】
また、握り部材は、側面部に固定された回転軸部に回転可能に支持される円筒部を備えており、円筒部の内周面に被係合部が形成されている。角度変更手段は、回転軸部に対してスライドし、回転が不可とされた角度変更ボタンを備えており、角度変更ボタンの周面に設けられた係合部が、握り部材のロック位置で円筒部の被係合部と係合する。角度変更ボタンは、付勢部材によって係合部が被係合部と係合する方向へ付勢されており、握り部材はロック位置でロックされている。握り部材の回転角度を変更するときは、角度変更ボタンを付勢部材の力に抗して押すと、係合部と被係合部との係合が解除され、握り部材の円筒部が回転軸部を回転可能となり、握り部材が前後方向に回転する。握り部材を所定の回転角度に回転させると、円筒部の被係合部が角度変更ボタンの係合部に合致し、付勢部材が角度変更ボタンを付勢していることにより、角度変更ボタンの係合部が円筒部の被係合部に係合される。このため、角度変更ボタンを押すという簡単な操作で握り部材のロックが解除されるとともに、所定のロック位置で付勢部材の作用により握り部材が自動的にロックされる。従って、握り部材の回転角度を変更するときの操作性がより一層良好となる。
また、従来では、構造上の制約により回転軸部の設置位置が限られていたのに対し、角度変更ボタンを押すことさえできれば良いので、側面部へ固定するときの位置に対する制約が少なく、側面部の上端部はもちろん、側面部の内側面の任意の位置に回転軸部を設定することができる。そのため、着席した子供にとって適切な位置に握り部材を容易に配設することが可能となる。
【００１１】
請求項２に記載の発明は、請求項１に記載の子供乗せ装置において、前記被係合部は、少なくとも前記握り部材が前方側へ傾倒した位置と、前記握り部材が後方側へ傾倒した位置と、前記握り部材が前後方向の途中で起立した位置に設けられていることを特徴としている。
【００１２】
請求項２に記載の発明では、被係合部は、少なくとも握り部材が前方側へ傾倒した位置と、握り部材が後方側へ傾倒した位置と、握り部材が前後方向の途中で起立した位置に設けられているので、子供の身長、体格に合わせて握り部材の回転角度を少なくとも上記３つの位置に変更することができる。
【００１３】
請求項３に記載の発明は、請求項１又は請求項２に記載の子供乗せ装置において、前記係合部が、前記角度変更ボタンの周面に突設されたピンであり、前記被係合部が、前記円筒部の内周面に形成された複数の溝部であり、前記円筒部の前記溝部よりも軸方向外側の内周面に、前記握り部材のロック解除時に前記ピンが周方向に摺動される摺動部を有することを特徴としている。
【００１４】
請求項３に記載の発明では、係合部が角度変更ボタンの周面に突設されたピンであり、被係合部が円筒部の内周面に形成された複数の溝部であり、ピンが溝部に係合することで握り部材がロックされる。また、円筒部の溝部よりも軸方向外側の内周面に、ピンが周方向に摺動される摺動部が設けられているので、角度変更ボタンを付勢部材の力に抗して押したときに、ピンと溝部の係合が外れて握り部材のロックが解除され、ピンが摺動部を周方向に摺動することによって握り部材の円筒部が回転する。このため、握り部材のロックを解除してスムーズに回転させることができる。
【００１５】
請求項４に記載の発明に係る二輪車は、二輪車本体に請求項１から請求項３までのいずれか１項に記載の子供乗せ装置が取り付けられていることを特徴としている。
【００１６】
請求項４に記載の発明に係る二輪車では、二輪車本体に請求項１から請求項３までのいずれか１項に記載の子供乗せ装置が取り付けられているので、子供の身長、体格に合わせて握り部材の回転角度を変更することができる。また、側面部の内側面側の少なくとも一方の回転軸部に角度変更手段が設けられているので、角度変更手段を操作しやすく、握り部材の回転角度を変更するときの操作性が良い。また、握り部材が両端部の回転軸部により前後方向に回転するので、握り部材の回転軌道が小さく、省スペース化が可能である。
【発明の効果】
【００１７】
請求項１の発明に係る子供乗せ装置では、子供の身長、体格に合わせて握り部材の回転角度を変更することができると共に、握り部材の回転角度を変更するときの操作性が良い。また、握り部材を回転させる際の省スペース化を実現できる。
【００１８】
また、角度変更ボタンを押すという簡単な操作により握り部材のロックを解除することができ、握り部材の回転角度を変更するときの操作性がより一層良好となる。
【００１９】
請求項２の発明に係る子供乗せ装置では、子供の身長、体格に合わせて握り部材の回転角度を少なくとも３段階に変更することができる。
【００２０】
請求項３の発明に係る子供乗せ装置では、握り部材をスムーズに回転させることができる。また、握り部材のロック及びロック解除のための構成が複雑でなく、低コスト化を実現できる。
【００２１】
請求項４の発明に係る二輪車では、子供の身長、体格に合わせて握り部材の回転角度を変更することができると共に、握り部材の回転角度を変更するときの操作性が良い。また、握り部材を回転させる際の省スペース化を実現できる。
【発明を実施するための最良の形態】
【００２２】
以下、本発明の実施の形態を図面に基づいて説明する。
【００２３】
図１には、本発明の一実施形態であるバスケットを兼用した子供乗せバスケット１０が取り付けられた二輪車１が示されている。
【００２４】
二輪車１には、前輪３側にヘッドパイプ２が配設されている。ヘッドパイプ２の上部には、子供乗せバスケット１０に設けられた子供乗せバスケット本体１２の下部が取付金具４によって固定支持されている。ヘッドパイプ２の上部には、ハンドルバー６が子供乗せバスケット本体１２の両側に略逆Ｌ字状に延びるように配設されている。
【００２５】
図２〜図４に示されるように、子供乗せバスケット本体１２は、子供が着席可能な座部１２Ａと、この座部１２Ａの後方部に斜め後方側へ傾斜するように立設された背凭れ部１２Ｂと、この背凭れ部１２Ｂから座部１２Ａの両サイドを囲むように連続して立設された側面部１２Ｃと、両サイドの側面部１２Ｃの前方側に掛け渡された前面部１２Ｅと、を備えている。座部１２Ａと背凭れ部１２Ｂと側面部１２Ｃと前面部１２Ｅは連続した湾曲面を形成するように一体的に設けられている。前面部１２Ｅと座部１２Ａとの間には、座部１２Ａに子供が着席したときに脚部が挿通される開口部１２Ｆが設けられている（図１４を参照）。
【００２６】
座部１２Ａの前方側には、開口部１２Ｆと対向する位置に、子供の足が置載される足載せ部１４が設けられている。座部１２Ａの前方下部には斜め下方側に傾斜するようにベース部材１６が配設されており、ベース部材１６に沿って足載せ部１４がスライド可能となっている。足載せ部１４の後方側の両サイドには、足載せ部１４の高さを調整するための調整ツマミ１８が設けられている。調整ツマミ１８は、ロック位置とロック解除位置に回動可能となっており、調整ツマミ１８をロック位置に回動させることで足載せ部１４が所定の位置でベース部材１６に固定され、調整ツマミ１８をロック解除位置に回動させることで足載せ部１４をベース部材１６に沿ってスライドさせることができる。座部１２Ａの前端部と前面部１２Ｅの下部との間には、開口部１２Ｆに跨るように補強用の連結部材５０が設けられている（図１４を参照）。
【００２７】
子供乗せバスケット本体１２の背凭れ部１２Ｂの内側面（前方側の面）の上方部には、子供乗せバスケット本体１２の内側面と一部が重なり合うようにヘッドガード２０が配設されている。このヘッドガード２０は、子供乗せバスケット本体１２に着席した子供の頭部を保護するものであり、上下方向にスライド可能となっている。
【００２８】
子供乗せバスケット１０は、子供乗せバスケット本体１２に子供が着席することができる椅子としての機能と、子供乗せバスケット本体１２に荷物を入れることができる荷物籠としての機能とを兼用した構成となっている。すなわち、図４に示されるように、ベース部材１６に沿って足載せ部１４を下方側へスライドさせて所定位置で固定することにより、子供が子供乗せバスケット本体１２の座部１２Ａに着席し、子供乗せバスケット本体１２の開口部１２Ｆに脚部を挿通させて足載せ部１４に足を載置することができる。また、図３に示されるように、足載せ部１４をベース部材１６の最上部へスライドさせて固定することにより、開口部１２Ｆが塞がり、子供乗せバスケット本体１２内に荷物を入れることができる。
【００２９】
図２〜図４に示されるように、子供乗せバスケット本体１２は、背凭れ部１２Ｂの高さよりも側面部１２Ｃの中間部後方側の高さが最も高く、側面部１２Ｃの前方側の高さが徐々に低くなるように形成されている。また、側面部１２Ｃよりも前面部１２Ｅの高さが低くなるように形成されており、前面部１２Ｅの上部には、凹状の湾曲面を有する凹状部１３が形成されている。前面部１２Ｅの上部における凹状部１３の縁部には、剛性を有する透過性の樹脂で形成されたカウリング２４が取り付けられている。カウリング２４は、前面部１２Ｅの上方側に突出するように設けられている。
【００３０】
図３及び図４に示されるように、子供乗せバスケット本体１２の両サイドに配置された側面部１２Ｃの前方側の上部には、カウリング２４の後方側に幅方向と平行に、子供が握ることができる握り部材３０が掛け渡されている。図５に示されるように、握り部材３０は、略Ｕ字状に形成されており、中間部の略直線状の握りバー３０Ａと、握りバー３０Ａの両端部に設けられた取付部３０Ｂと、を備えている。両端部の取付部３０Ｂの外側面は、両サイドの側面部１２Ｃの内側面に接触するように配置されている。取付部３０Ｂと側面部１２Ｃとの連結部分には、握り部材３０を側面部１２Ｃに対して前後方向に回転させるための回転軸部３８と、握り部材３０を所定の回転角度でロックする角度変更装置３２が設けられている。
【００３１】
図６及び図９に示されるように、握り部材３０の取付部３０Ｂの端部には、円筒部３６が形成されており、円筒部３６の内部に略円筒状の回転軸部３８が挿入されている。回転軸部３８は、側面部１２Ｃに固定支持されている。角度変更装置３２は、側面部１２Ｃの内側面側に、握り部材３０の回転角度を変更するときに押される角度変更ボタン３４と、角度変更ボタン３４の内部に挿入されるコイルスプリング４０と、を備えている。角度変更ボタン３４は、回転軸部３８に対して軸方向にスライドし、回転が不可とされた状態で回転軸部３８の内部に挿入されている。
図６及び図７に示されるように、角度変更ボタン３４は、軸方向内側に操作者が押すための円形状の押し部３４Ａを備えており、押し部３４Ａの軸方向外側に円筒状の軸部３４Ｂを備えている。軸部３４Ｂの軸方向外側の端部には、半径方向に突出する円弧状の突出部３４Ｃが形成されており、突出部３４Ｃの両側には、円弧を切り欠いた形状の平面部３４Ｄが形成されている。突出部３４Ｃの周面には、半径方向に突出する係合部としてのピン４２が設けられている。角度変更ボタン３４の軸部３４Ｂの内部には、コイルスプリング４０が挿入されるようになっている。
【００３２】
図６及び図８に示されるように、回転軸部３８は、円筒状の筒部３８Ａの軸方向内側の端部に、円筒部３６の内側面に当接されるフランジ３８Ｂを備えており、筒部３８Ａの軸方向の中間部に２つの矩形状の開口部３８Ｃを備えている。２つの開口部３８Ｃは筒部３８Ａの対向する位置に設けられている。回転軸部３８は、筒部３８Ａの軸方向外側の端部に筒部３８Ａを塞ぐように矩形状の壁部３８Ｄを備えており、壁部３８Ｄの中央部には円形の孔３８Ｅが設けられている。また、筒部３８Ａの内周面の軸方向外側には、開口部３８Ｃの間に、内部側に突出した平面部３８Ｆが設けられている。また、回転軸部３８の筒部３８Ａの内径は、角度変更ボタン３４の軸部３４Ｂの外径よりも若干大きく形成されており、筒部３８Ａの内部に角度変更ボタン３４の軸部３４Ｂが挿入可能となっている（図９参照）。
【００３３】
図６及び図１３に示されるように、円筒部３６は、円形の開口３６Ａを備えており、開口３６Ａの内周面には、角度変更ボタン３４のピン４２が係合される被係合部としての複数の溝部３６Ｂ、３６Ｃが形成されている。開口３６Ａの内周面の溝部３６Ｂより軸方向外側には、軸方向と直交する方向に形成された縦壁からなり、握り部材３０のロック解除時にピン４２が周方向に摺動可能な摺動部３６Ｄが形成されている。溝部３６Ｂは、開口３６Ａの軸方向に沿って摺動部３６Ｄから円筒部３６の内側端面まで形成されており、溝部３６Ｃは、摺動部３６Ｄから開口３６Ａの軸方向の途中まで形成されている。溝部３６Ｂは、開口３６Ａ周面の対向する位置に２個設けられており、溝部３６Ｃは、溝部３６Ｂの間における開口３６Ａの周面の対向する位置に２個設けられている。すなわち、溝部３６Ｂと溝部３６Ｃは、開口３６Ａの周方向における９０°の位置に交互に設けられている。また、円筒部３６の開口３６Ａの内径は、回転軸部３８の筒部３８Ａの外径よりも若干大きく形成されており、開口３６Ａに回転軸部３８が挿入可能となっている（図９参照）。図１４〜図１６に示されるように、本実施形態では、円筒部３６の複数の溝部３６Ｂ、３６Ｃは、握り部材３０が子供乗せバスケット本体１２に対して前方側へ傾倒した位置と、握り部材３０が子供乗せバスケット本体１２に対して後方側へ傾倒した位置と、握り部材３０が子供乗せバスケット本体１２に対して前後方向の途中で上下方向に沿って起立した位置となるように設定されている。
【００３４】
図９〜図１２に示されるように、角度変更装置３２が組み立てられた状態では、握り部材３０の円筒部３６の開口３６Ａに回転軸部３８の筒部３８Ａが挿入され、フランジ３８Ｂが円筒部３６の内側面に当接されている。回転軸部３８の筒部３８Ａの内部に角度変更ボタン３４の軸部３４Ｂが挿入されており、回転軸部３８の平面部３８Ｆに角度変更ボタン３４の平面部３４Ｄが当接している（図９参照）。これにより、角度変更ボタン３４は、回転軸部３８に対して軸方向にスライド可能で、回転が不可とされた状態で支持される。角度変更ボタン３４の軸部３４Ｂの内部には、コイルスプリング４０が挿入されており、コイルスプリング４０の一端が回転軸部３８の壁部３８Ｄに当接され、コイルスプリング４０の他端が角度変更ボタン３４の押し部３４Ａの内側に当接している。
【００３５】
また、図１０及び図１２に示されるように、角度変更ボタン３４の突出部３４Ｃは、回転軸部３８の開口部３８Ｃ付近に位置しており、突出部３４Ｃの周面のピン４２が開口部３８Ｃから外側に突出している。そして、ピン４２が回転軸部３８の開口部３８Ｃの軸方向内側の端面に接触することで、角度変更ボタン３４が軸方向内側に抜けるのを防止している。なお、ピン４２は、突出部３４Ｃの周面の凹部に後付けで取付けられる構成となっている。
【００３６】
図９に示されるように、子供乗せバスケット本体１２の側面部１２Ｃには取付部材４４が設けられており、取付部材４４の軸方向内側には突出部４４Ａが形成されている。回転軸部３８の筒部３８Ａの軸方向外側の端部は、取付部材４４の突出部４４Ａに外挿されている。取付部材４４には軸方向に孔４４Ｂが形成されており、孔４４Ｂと回転軸部３８の孔３８Ｅに図示しない締結具が挿通されることで、取付部材４４と回転軸部３８とが締結固定されている。
【００３７】
また、図２〜図４に示されるように、ヘッドガード２０は、着席した子供の後頭部と対向する後方部２０Ａと、後方部２０Ａから子供の側頭部に沿って両サイド側に湾曲するように延びた翼部２０Ｂと、後方部２０Ａの中央部から下方側に延びた下方延設部２０Ｃと、を備えている。また、子供乗せバスケット１０には、ヘッドガード２０を子供乗せバスケット本体１２の内側面に沿って上下方向にスライドさせて所定の位置で固定する高さ調整装置５６が設けられている。高さ調整装置５６は、子供乗せバスケット本体１２の背凭れ部１２Ｂの中央部に上下方向に沿って形成された凹状のレール部１２Ｄを備えており、またヘッドガード２０の背面側に、子供乗せバスケット本体１２のレール部１２Ｄに挿入される凸状の摺動部２０Ｄを備えている。そして、レール部１２Ｄに沿って摺動部２０Ｄが移動することで、ヘッドガード２０が子供乗せバスケット本体１２に対して上下方向にスライド可能となっている。また、高さ調整装置５６は、子供乗せバスケット本体１２の背面側に回転可能に設けられた調整ノブ５８を備えており、調整ノブ５８をロック位置に回動させることで、ヘッドガード２０が子供乗せバスケット本体１２に固定され、調整ノブ５８をロック解除位置に回動させることで、ヘッドガード２０を子供乗せバスケット本体１２に対してスライドさせることができる構成となっている。
【００３８】
次に、上記のような構成の子供乗せバスケット１０の作用について説明する。
【００３９】
図１０に示されるように、握り部材３０のロック時には、角度変更ボタン３４のピン４２が、例えば、円筒部３６の開口３６Ａに形成された２つの溝部３６Ｂに係合されている。その際、コイルスプリング４０の力により、角度変更ボタン３４のピン４２が溝部３６Ｂの方向に付勢された状態となっている。これにより、握り部材３０がロック位置で子供乗せバスケット本体１２の側面部１２Ｃに対して所定の角度で固定されている。
【００４０】
図１１及び図１２に示されるように、握り部材３０の角度を変更するときは、側面部１２Ｃの内側面側に配置された角度変更ボタン３４の押し部２４Ａをコイルスプリング４０の付勢力に抗して幅方向外側へ押す。すると、角度変更ボタン３４のピン４２が軸方向外側に移動してピン４２と溝部３６Ｂとの係合が外れ、ピン４２が溝部３６Ｂ、３６Ｃより軸方向外側に形成された摺動部３６Ｄを周方向に摺動可能となる。ピン４２が摺動部３６Ｄを周方向に摺動することで、握り部材３０の円筒部３６が回転軸部３８の周囲を回転可能となる。これにより、側面部１２Ｃに対して握り部材３０の角度を変更することができる。そして、握り部材３０が所定の角度まで回転すると、角度変更ボタン３４のピン４２が、円筒部３６の隣の溝部３６Ｃに合致し、コイルスプリング４０の付勢力によって角度変更ボタン３４のピン４２が、円筒部３６の２つの溝部３６Ｃに係合される。これにより、握り部材３０が子供乗せバスケット本体１２の側面部１２Ｃに対して所定の角度で固定されている。
【００４１】
本実施形態では、円筒部３６に設けた複数の溝部３６Ｂ、３６Ｃの位置によって、握り部材３０が側面部１２Ｃに対して後方側へ傾倒した位置（図１４参照）と、握り部材３０が側面部１２Ｃに対して前後方向の途中で上下方向に沿って起立した位置（図１５参照）と、握り部材３０が側面部１２Ｃに対して前方側へ傾倒した位置（図１６参照）で固定される。これにより、子供の身長や体格に合わせて、握り部材３０の角度を変更することができる。例えば、図１４に示されるように、握り部材３０を側面部１２Ｃに対して後方側へ傾倒した位置で固定することで、子供乗せバスケット本体１２の座部１２Ａに着席した子供は、握り部材３０を握って自身の身体を支えることができ、子供に安心感を与えることができる。また、握り部材３０によって子供の前方側をガードすることができる。また、例えば、図１５に示されるように、子供の身長や体格に合わせて、握り部材３０を側面部１２Ｃに対して上下方向に起立した位置で固定することで、子供乗せバスケット本体１２の座部１２Ａに着席した子供は、握り部材３０をより握りやすい位置で握って自身の身体を支えることができる。
【００４２】
また例えば、図１６に示されるように、子供乗せバスケット本体１２を荷物籠として利用する際には、握り部材３０を側面部１２Ｃに対して前方側へ傾倒した位置で固定する。さらに、足載せ部１４を上方側へスライドさせることで、子供乗せバスケット本体１２の開口部１２Ｆが閉止される。これにより、子供乗せバスケット本体１２に荷物を入れるときに握り部材３０が邪魔になることが少なくなる。
【００４３】
また、側面部１２Ｃに固定された回転軸部３８には、側面部１２Ｃの内側面側に角度変更ボタン３４が挿入されているので、操作者が角度変更ボタン３４の押し部３４Ａを押しやすく、握り部材３０の角度を変更するときの操作性が良い。また、握り部材３０の両端部の回転軸部３８によって握り部材３０が側面部１２Ｃに対して前後方向に回転するので、握り部材３０を回転させるときの回転軌道が小さく、省スペース化を実現できる。
【００４４】
また、角度変更ボタン３４の押し部３４Ａを押すという簡単な操作で握り部材３０のロック解除が行われるとともに、角度変更ボタン３４のピン４２と円筒部３６の溝部３６Ｂ又は溝部３６Ｃの位置が合致すると、コイルスプリング４０の付勢力によって握り部材３０が自動的にロックされるので、握り部材３０の角度を変更するときの操作性が良好となる。
【００４５】
また、角度変更ボタン３４の押し部３４Ａを押したときに、ピン４２と溝部３６Ｂ又は溝部３６Ｃの係合が外れて握り部材３０のロックが解除され、ピン４２が摺動部３６Ｄを周方向に摺動することで、握り部材３０の円筒部３６が回転する。このため、握り部材３０をスムーズに前後方向に回転させることができる。また、握り部材３０のロック及びロック解除のための構成が複雑でなく、低コスト化を実現できる。
【００４６】
なお、上記実施形態では、握り部材３０が子供乗せバスケット本体１２の側面部１２Ｃに対して前方側へ傾倒した位置と、後方側へ傾倒した位置と、握り部材３０が上下方向に沿って起立した位置で固定されるが、握り部材３０の固定角度はこれに限定されず、他の固定角度に設定してもよい。
【図面の簡単な説明】
【００４７】
【図１】本発明の一実施形態である子供乗せバスケットが取り付けられた二輪車を示す側面図である。
【図２】本発明の一実施形態である子供乗せバスケットを示す側面図である。
【図３】子供乗せバスケットの足載せ部を上方側にスライドさせると共に、ヘッドガードを下方側へスライドさせた状態を前方側上方から見た斜視図である。
【図４】子供乗せバスケットの足載せ部を下方側にスライドさせると共に、ヘッドガードを上方側へスライドさせた状態を後方側上方から見た斜視図である。
【図５】子供乗せバスケットの握り部材を示す拡大斜視図である。
【図６】握り部材の円筒部と回転軸部と角度変更ボタン付近の分解斜視図である。
【図７】（Ａ）は角度変更ボタン単体を示す側面図であり、（Ｂ）は（Ａ）を９０°回転させた方向から見た側面図である。
【図８】（Ａ）は回転軸部単体を示す側面図であり、（Ｂ）は（Ａ）を９０°回転させた方向から見た側面図であり、（Ｃ）は回転軸部単体を示す正面図である。
【図９】握り部材の円筒部と回転軸部と角度変更ボタン付近を示す断面図である。
【図１０】握り部材のロック時の回転軸部と角度変更ボタン付近を示す断面図であって、図９を他の角度から視た断面図である。
【図１１】握り部材のロック解除時の回転軸部と角度変更ボタン付近を示す断面図である。
【図１２】握り部材のロック解除時の回転軸部と角度変更ボタン付近を示す一部裁断斜視図である。
【図１３】角度変更ボタンのピンが握り部材の円筒部の摺動部を周方向に摺動している状態を示す側面図である。
【図１４】子供乗せバスケットの座部に子供が着席し、握り部材を後方側へ傾倒させた状態を示す側面図である。
【図１５】子供乗せバスケットの座部に子供が着席し、握り部材を上下方向へ起立させた状態を示す側面図である。
【図１６】子供乗せバスケットの握り部材を前方側へ傾倒させた状態を後方側上方から見た斜視図である。
【符号の説明】
【００４８】
１     二輪車
１０   子供乗せバスケット（子供乗せ装置）
１２   子供乗せバスケット本体（子供乗せ装置本体）
１２Ａ 座部
１２Ｂ 背凭れ部
１２Ｃ 側面部
３０   握り部材
３２   角度変更装置（角度変更手段）
３４   角度変更ボタン
３６   円筒部
３６Ｂ 溝部（被係合部）
３６Ｃ 溝部（被係合部）
３６Ｄ 摺動部
３８   回転軸部
３８Ｃ 壁部
４０   コイルスプリング（付勢部材）
４２   ピン（係合部）
【図１】
0004874898.tif 000002
【図２】
0004874898.tif 000003
【図３】
0004874898.tif 000004
【図４】
0004874898.tif 000005
【図５】
0004874898.tif 000006
【図６】
0004874898.tif 000007
【図７】
0004874898.tif 000008
【図８】
0004874898.tif 000009
【図９】
0004874898.tif 000010
【図１０】
0004874898.tif 000011
【図１１】
0004874898.tif 000012
【図１２】
0004874898.tif 000013
【図１３】
0004874898.tif 000014
【図１４】
0004874898.tif 000015
【図１５】
0004874898.tif 000016
【図１６】
0004874898.tif 000017